(57)【要約】【課題】上流側の酸化触媒と下流側の選択的還元ＮＯｘ触媒を備え、選択還元型ＮＯｘ触媒にＮＯｘの還元に用いるアンモニア系溶液を供給して排気ガス中のＮＯｘを浄化する場合に、アンモニア系溶液を選択還元型ＮＯｘ触媒に対して過不足なく供給して、アンモニアとＮＯｘの両方の大気中への排出を防止することができるＮＯｘ浄化システム及びＮＯｘ浄化システムの制御方法を提供する。【解決手段】供給量制御装置５が、酸化触媒４におけるＮＯｘ吸着推定量Ｎｅを算出し、このＮＯｘ吸着推定量Ｎｅに応じて、アンモニア系溶液の供給量Ｙを制御する。【選択図】図２
2008261253.tif 000002
【特許請求の範囲】
【請求項１】
排気ガス通路に上流側から順に、酸化触媒と、排気ガス通路にアンモニア系溶液を供給するアンモニア系溶液供給装置と、選択還元型ＮＯｘ触媒とを備えると共に、前記アンモニア系溶液の供給量を制御する供給量制御装置とを備えて、排気ガス中のＮＯｘを還元するＮＯｘ浄化システムにおいて、
前記供給量制御装置が、前記酸化触媒におけるＮＯｘの吸着量の推定値であるＮＯｘ吸着推定量を算出し、該ＮＯｘ吸着推定量に応じて、前記アンモニア系溶液の供給量を制御することを特徴とするＮＯｘ浄化システム。
【請求項２】
前記供給量制御装置が、前記ＮＯｘ吸着推定量が所定の第１判定値以下の場合には、前記アンモニア系溶液の供給量の目標量を所定の第１制御目標範囲内とし、前記ＮＯｘ吸着推定量が所定の第１判定値より大きく所定の第２判定値以下の場合には、前記アンモニア系溶液の供給量の制御目標量を前記所定の第１制御目標範囲よりも大きい所定の第２制御目標範囲内とし、前記ＮＯｘ吸着推定量が前記所定の第２判定値より大きい場合には、前記アンモニア系溶液の供給量の目標量を前記所定の第２制御目標範囲よりも大きい所定の第３制御目標範囲内として、前記アンモニア系溶液の供給量を制御することを特徴とする請求項１記載のＮＯｘ浄化システム。
【請求項３】
前記所定の第１判定値と前記所定の第２判定値とを前記酸化触媒の触媒温度に対応して算出すると共に、前記第１制御目標範囲と前記第２制御目標範囲と前記第３制御目標範囲とを前記選択還元型ＮＯｘ触媒の触媒温度に対応して算出することを特徴とする請求項２記載のＮＯｘ浄化システム。
【請求項４】
前記所定の第１判定値と前記所定の第２判定値を前記酸化触媒の触媒温度に対応したＮＯｘ飽和吸着量を基にして算出すると共に、前記第１制御目標範囲と前記第２制御目標範囲と前記第３制御目標範囲を前記選択還元型ＮＯｘ触媒の触媒温度に対応したアンモニア飽和保持量を基にして算出することを特徴とする請求項２又は３記載のＮＯｘ浄化システム。
【請求項５】
前記酸化触媒における前記ＮＯｘ吸着推定量の算出に際して、前記酸化触媒の下流側に配置したＮＯｘセンサーの検出値を用いることを特徴とする請求項１、２、３、又は４記載のＮＯｘ浄化システム。
【請求項６】
排気ガス通路に上流側から順に、酸化触媒と、排気ガス通路にアンモニア系溶液を供給するアンモニア系溶液供給装置と、選択還元型ＮＯｘ触媒とを備えると共に、前記アンモニア系溶液の供給量を制御する供給量制御装置とを備えて、排気ガス中のＮＯｘを還元するＮＯｘ浄化システムの制御方法において、
前記酸化触媒におけるＮＯｘの吸着量の推定値であるＮＯｘ吸着推定量を算出し、該ＮＯｘ吸着推定量に応じて、前記アンモニア系溶液の供給量を制御することを特徴とするＮＯｘ浄化システムの制御方法。
【発明の詳細な説明】
【技術分野】
【０００１】
本発明は、排気ガス通路の上流側に酸化触媒を下流側に選択還元型ＮＯｘ触媒（ＳＣＲ触媒）を備えたＮＯｘ浄化システム及びＮＯｘ浄化システムの制御方法に関する。
【背景技術】
【０００２】
従来の選択還元型ＮＯｘ触媒（ＳＣＲ触媒）を備えたＮＯｘ浄化システムは、選択還元型ＮＯｘ触媒と、この選択還元型ＮＯｘ触媒にアンモニア（ＮＨ3 ）を供給するために、その上流側に尿素水等のアンモニア源となるアンモニア系溶液を排気ガス通路の排気ガス中に供給するアンモニア系溶液供給装置を備えると共に、このアンモニア系溶液供給措置よりも上流側に酸化触媒を配置している。また、選択還元型ＮＯｘ触媒の下流側にアンモニアの大気中への流出を防止するための酸化触媒を配置する場合もある。
【０００３】
このＮＯｘ浄化システムの選択還元型ＮＯｘ触媒は、アンモニア発生化合物（尿素水溶液等）を吸着して貯蔵する機能を有するので、排気ガス中のＮＯｘを浄化するため以外でも、アンモニア発生化合物を供給して選択還元型ＮＯｘ触媒に溜め込んで、ＮＯｘを浄化する時に、この溜め込んだアンモニア発生化合物を徐々に放出させて、排気ガス中のＮＯｘを浄化する内燃機関の排気浄化装置が提案されている（例えば、特許文献１参照。）。
【０００４】
この選択還元型ＮＯｘ触媒は、酸素過剰雰囲気ではアンモニアを還元剤として、ＮＯｘを浄化する触媒であるが、条件によりアンモニアを、この触媒内に貯蔵する機能も有している。
【０００５】
このアンモニア系溶液の供給方法については、次の二通りの方法が用いられている。第１の方法は、内燃機関からのＮＯｘ排出量や選択還元型ＮＯｘ触媒の温度条件で変化するＮＯｘ浄化能力に対応したアンモニア量になるように、つまり、ＮＯｘとアンモニアの当量比が１になるように計算して、アンモニア系溶液の供給量を制御しながら供給する方法である。
【０００６】
この方法の場合には、アンモニア系溶液の供給制御の応答遅れ（タイムラグ）等により、ＮＯｘ排出量が急激に変化した場合に対応が間に合わず、的確な添加量とすることが難しい。そのため、アンモニアが大気中に放出されるアンモニアスリップやアンモニア系溶液の供給不足により、ＮＯｘの浄化が不十分になるという問題がある。
【０００７】
第２の方法は、選択還元型ＮＯｘ触媒のアンモニア保持機能を利用し、一定範囲のアンモニア量を選択還元型ＮＯｘ触媒に保持させておき、ＮＯｘの還元により消費されたアンモニア量に相当する量のアンモニア系溶液を供給して、選択還元型ＮＯｘ触媒が保持するアンモニア量を所定の範囲内に保つ方法である。
【０００８】
この第２の方法の場合には、第１の方法に比べて、アンモニア系溶液の供給制御の応答遅れやＮＯｘが急激に増加した場合に対応し易いという利点がある。なお、この場合でも、内燃機関のＮＯｘ排出量は、選択還元型ＮＯｘ触媒に保持されているアンモニアの消費量を求めるために必要である。
【０００９】
しかしながら、この選択還元型ＮＯｘ触媒は、炭化水素（ＨＣ）が共存すると、ＮＯｘ浄化性能が低下し、また、この触媒自体は酸化機能が低いため、炭化水素や一酸化炭素（ＣＯ）の浄化については期待できないという問題がある。
【００１０】
そのため、選択還元型ＮＯｘ触媒の上流側（前段）に、酸化触媒を配置して炭化水素や一酸化炭素を処理することにより、選択還元型ＮＯｘ触媒のＮＯｘ浄化機能を低下させる炭化水素等を低減させることが行われている。
【００１１】
この酸化触媒は、ＮＯｘ、炭化水素の酸化以外に、ＮＯｘを吸着する性質を併せ持っている。つまり、酸化触媒は、炭化水素、一酸化炭素を酸化する能力が高いが、同時に一酸化窒素（ＮＯ）を二酸化窒素（ＮＯ2 ）に酸化する能力も高く、生成した二酸化窒素は吸着性が高いため、通常は、酸化触媒に吸着し保持される。この酸化触媒に保持された二酸化窒素は排気ガス温度が上昇し、ある一定の温度以上になると脱離して放出される。この酸化触媒のＮＯｘ飽和吸着量は、図５に示すように、触媒温度が上昇すると少なくなる。例えば、触媒温度がＴａではＮＯｘがＡａ量吸着しているが、酸化触媒の温度がＴｂに上昇すると、ＮＯｘ飽和吸着量はＡｂに減少するため、Ａａ−Ａｂの量のＮＯｘが放出されることになる。
【００１２】
従って、排気ガス温度が脱離温度に達しない温度域で内燃機関の運転が連続した場合には、酸化触媒にＮＯｘが多量に堆積されることになる。このような状況下では、選択還元型ＮＯｘ触媒へのＮＯｘ流入量は、上流側に配置された酸化触媒における吸着があるため、内燃機関の運転状態から算出されるＮＯｘ排出量の推定値だけでは決まらず、アンモニア系溶液の最適な供給量を決定することが難しい。
【００１３】
その結果、選択還元型ＮＯｘ触媒への実際のＮＯｘ流入量が推定したＮＯｘ流入量よりも少ない場合には、アンモニア系溶液が供給過剰になり、選択還元型ＮＯｘ触媒に保持されるアンモニア量が予測した値よりも多くなるため、アンモニアスリップが発生するという問題が生じる。また、酸化触媒に保持されたＮＯｘが、酸化触媒の急激な温度上昇により多量に脱離した場合には、選択還元型ＮＯｘ触媒におけるアンモニア量が不足し、ＮＯｘを浄化処理できなくなるという問題が生じる。
【００１４】
これらの問題に関連して、発明者は次のような知見を得た。上流側の酸化触媒のＮＯｘ吸着量がＮＯｘ飽和吸着量よりも少ない場合は、酸化触媒が温度上昇しても、ＮＯｘの放出は起こらないか、起こっても少ないため、選択還元型ＮＯｘ触媒におけるアンモニア保持量を比較的少なくしておけばよい。一方、選択還元型ＮＯｘ触媒におけるアンモニア保持量を多い状態にしておくと、酸化触媒の温度上昇時にアンモニアスリップが発生する恐れが高い。そのため、酸化触媒におけるＮＯｘ吸着量が増えて、ＮＯｘ飽和吸着量に近づいてくると、酸化触媒の僅かな温度上昇でＮＯｘの放出が発生する。従って、この場合は、選択還元型ＮＯｘ触媒におけるアンモニア保持量を比較的多くしておけばよい。
【特許文献１】特許第３６８５０６３号公報
【発明の開示】
【発明が解決しようとする課題】
【００１５】
本発明は、上記の知見を得て、上記の問題を解決するためになされたものであり、その目的は、上流側の酸化触媒と下流側の選択的還元ＮＯｘ触媒を備え、選択還元型ＮＯｘ触媒にＮＯｘの還元に用いるアンモニア系溶液を供給して排気ガス中のＮＯｘを浄化する場合に、アンモニア系溶液を選択還元型ＮＯｘ触媒に対して過不足なく供給して、アンモニアとＮＯｘの両方の大気中への排出を防止することができるＮＯｘ浄化システム及びＮＯｘ浄化システムの制御方法を提供することにある。
【課題を解決するための手段】
【００１６】
上記のような目的を達成するためのＮＯｘ浄化システムは、排気ガス通路に上流側から順に、酸化触媒と、排気ガス通路にアンモニア系溶液を供給するアンモニア系溶液供給装置と、選択還元型ＮＯｘ触媒とを備えると共に、前記アンモニア系溶液の供給量を制御する供給量制御装置とを備えて、排気ガス中のＮＯｘを還元するＮＯｘ浄化システムにおいて、前記供給量制御装置が、前記酸化触媒におけるＮＯｘの吸着量の推定値であるＮＯｘ吸着推定量を算出し、該ＮＯｘ吸着推定量に応じて、前記アンモニア系溶液の供給量を制御するように構成される。
【００１７】
この構成によれば、上流側の酸化触媒に吸着されるＮＯｘ量を考慮した制御となるので、酸化触媒にＮＯｘが吸着されたときには、アンモニア系溶液供給装置から供給され、ＮＯｘ還元で余ったアンモニアを下流側の選択還元型ＮＯｘ触媒で吸着及び保持してアンモニアの大気中への放出（アンモニアスリップ）を防止でき、また、排気ガス温度の急上昇などで酸化触媒からＮＯｘが放出されたときには、選択還元型ＮＯｘ触媒で保持したアンモニアを使用してＮＯｘを十分に還元処理でき、ＮＯｘの大気中への放出（ＮＯｘスリップ）を防止できる。
【００１８】
また、上記のＮＯｘ浄化システムにおいて、前記供給量制御装置が、前記ＮＯｘ吸着推定量が所定の第１判定値以下の場合には、前記アンモニア系溶液の供給量の目標量を所定の第１制御目標範囲内とし、前記ＮＯｘ吸着推定量が所定の第１判定値より大きく所定の第２判定値以下の場合には、前記アンモニア系溶液の供給量の制御目標量を前記所定の第１制御目標範囲よりも大きい所定の第２制御目標範囲内とし、前記ＮＯｘ吸着推定量が前記所定の第２判定値より大きい場合には、前記アンモニア系溶液の供給量の目標量を前記所定の第２制御目標範囲よりも大きい所定の第３制御目標範囲内として、前記アンモニア系溶液の供給量を制御するように構成される。
【００１９】
この構成によれば、酸化触媒におけるＮＯｘ吸着推定量が少ない場合には、選択還元型ＮＯｘ触媒に保持されるアンモニア保持量が少なくなるように制御し、ＮＯｘ吸着推定量が中程度の場合には、アンモニア保持量が中程度になるように制御し、ＮＯｘ吸着推定量が多い場合には、アンモニア保持量が多くなるように制御するので、アンモニア系溶液の供給量を適切な量にすることができ、アンモニアスリップとＮＯｘスリップを防止できる。
【００２０】
つまり、上流側の酸化触媒のＮＯｘ吸着量が少なく、温度上昇によるＮＯｘの放出が殆ど無いと推定される場合は、選択還元型ＮＯｘ触媒におけるアンモニア保持量が比較的少な範囲になるように制御するので、選択還元型ＮＯｘ触媒に必要以上に保持したアンモニアが大気中へ放出されることを防止できる。また、上流側の酸化触媒のＮＯｘ吸着量が増加して、温度上昇により急激にＮＯｘ放出が起こる可能性が高くなったと推定される場合は、選択還元型ＮＯｘ触媒におけるアンモニア保持量が比較的多い範囲になるように制御するので、急激な温度上昇によりＮＯｘの放出が起こっても対応でき、ＮＯｘが大気中へ放出されることを防止できる。
【００２１】
また、上記のＮＯｘ浄化システムにおいて、前記所定の第１判定値と前記所定の第２判定値とを前記酸化触媒の触媒温度に対応して算出すると共に、前記第１制御目標範囲と前記第２制御目標範囲と前記第３制御目標範囲とを前記選択還元型ＮＯｘ触媒の触媒温度に対応して算出するように構成される。
【００２２】
この構成によれば、酸化触媒の触媒温度によって酸化触媒が吸着可能なＮＯｘ量が変化するが、この変化に効率よく対応できる。また、選択還元型ＮＯｘ触媒の触媒温度によって選択還元型ＮＯｘ触媒が保持可能なアンモニア量が変化するが、この変化に効率よく対応できる。
【００２３】
また、上記のＮＯｘ浄化システムにおいて、前記所定の第１判定値と前記所定の第２判定値を前記酸化触媒の触媒温度に対応したＮＯｘ飽和吸着量を基にして算出すると共に、前記第１制御目標範囲と前記第２制御目標範囲と前記第３制御目標範囲を前記選択還元型ＮＯｘ触媒の触媒温度に対応したアンモニア飽和保持量を基にして算出するように構成される。
【００２４】
この構成によれば、酸化触媒の触媒温度によって酸化触媒が吸着可能なＮＯｘ量の限界であるＮＯｘ飽和吸着量が変化するが、この変化への対応を比較的単純なアルゴリズムでできるようになる。また、選択還元型ＮＯｘ触媒の触媒温度によって選択還元型ＮＯｘ触媒が保持可能なアンモニア量の限界であるアンモニア飽和保持量が変化するが、この変化への対応を比較的単純なアルゴリズムでできるようになる。
【００２５】
更に、上記のＮＯｘ浄化システムにおいて、前記酸化触媒における前記ＮＯｘ吸着推定量の算出に際して、前記酸化触媒の下流側に配置したＮＯｘセンサーの検出値を用いるように構成される。この構成によれば、内燃機関の吸気量と燃料量とから算出される排気ガス量と、ＮＯｘセンサーで検出されたＮＯｘ濃度とから、酸化触媒の下流側に流出したＮＯｘ流出量を容易に算出できるようになる。従って、酸化触媒の上流側のＮＯｘ量（内燃機関からのＮＯｘ排出量）とこのＮＯｘ流出量の差からＮＯｘ吸着推定量を容易に算出できるようになる。
【００２６】
そして、上記の目的と達成するためのＮＯｘ浄化システムの制御方法は、排気ガス通路に上流側から順に、酸化触媒と、排気ガス通路にアンモニア系溶液を供給するアンモニア系溶液供給装置と、選択還元型ＮＯｘ触媒とを備えると共に、前記アンモニア系溶液の供給量を制御する供給量制御装置とを備えて、排気ガス中のＮＯｘを還元するＮＯｘ浄化システムの制御方法において、前記酸化触媒におけるＮＯｘの吸着量の推定値であるＮＯｘ吸着推定量を算出し、該ＮＯｘ吸着推定量に応じて、前記アンモニア系溶液の供給量を制御する方法である。この方法によれば、アンモニア系溶液を選択還元型ＮＯｘ触媒に対して過不足なく供給して、アンモニアとＮＯｘの両方の大気中への排出を防止することができる。
【発明の効果】
【００２７】
本発明に係るＮＯｘ浄化システム及びＮＯｘ浄化システムの制御方法によれば、上流側の酸化触媒におけるＮＯｘ吸着推定量を考慮して、アンモニア系溶液の供給量を制御するので、内燃機関の運転条件によるＮＯｘの増減のみならず、酸化触媒の温度変化によるＮＯｘ放出量にも対応して、選択還元型ＮＯｘ触媒へ供給するアンモニア系溶液の供給量を適切に制御することが可能とになる
【００２８】
従って、上流側の酸化触媒において、ＮＯｘの吸着とこの吸着されたＮＯｘの放出とが起こっても、アンモニアスリップを抑えながらＮＯｘを浄化することが可能となる。その結果、大気中へのアンモニアの放出とＮＯｘの放出を共に低減することができる。
【発明を実施するための最良の形態】
【００２９】
以下、本発明に係る実施の形態のＮＯｘ浄化システム及びＮＯｘ浄化システムの制御方法について、ディーゼルエンジンの排気通路を通過する排気ガスのＮＯｘを浄化するＮＯｘ浄化システムを例にして図面を参照しながら説明する。図１に、本発明の実施の形態のＮＯｘ浄化システム１の構成を示す。
【００３０】
このＮＯｘ浄化システム１では、ディーゼルエンジン２の排気ガス通路３に、上流側から順に、酸化触媒（ＤＯＣ）４、アンモニア系溶液供給装置５、選択還元型ＮＯｘ触媒（ＳＣＲ触媒）６が配設される。
【００３１】
酸化触媒４は、コージェライトハニカム等の多孔質のセラミックのハニカム構造等の担持体に、パラジウム、酸化セリウム、白金、酸化アルミニウム等を担持して形成される。この酸化触媒４は、排気ガス中に未燃燃料（炭化水素：ＨＣ）や一酸化炭素（ＣＯ）等があるとこれを酸化して、この酸化で発生する熱により排気ガスを昇温し、この昇温した排気ガスで下流側の選択還元型ＮＯｘ触媒６を昇温させることができる。
【００３２】
この酸化触媒４は、ＮＯｘ、炭化水素の酸化以外に、ＮＯｘを吸着する性質を併せ持っている。つまり、一酸化窒素（ＮＯ）を二酸化窒素（ＮＯ2 ）に酸化し、この二酸化窒素を吸着し保持する。この酸化触媒に保持された二酸化窒素は排気ガス温度が上昇し、ある一定の温度以上になると脱離して放出される。この酸化触媒のＮＯｘ飽和吸着量は、図３及び図５に示すように、触媒温度が上昇すると少なくなる。
【００３３】
アンモニア系溶液供給装置５は、選択還元型ＮＯｘ触媒に、ＮＯｘを還元する際の還元剤となるアンモニア（ＮＨ3 ）を供給するためのもので、尿素水溶液やアンモニア水溶液等のアンモニア系溶液を、アンモニア系溶液タンク７から排気ガス通路３に噴射する噴射弁等で形成される。
【００３４】
選択還元型ＮＯｘ触媒６は、コージェライトや酸化アルミニウムや酸化チタン等で形成されるハニカム構造等の担持体に、チタニアーバナジウム、ゼオライト、酸化クロム、酸化マンガン、酸化モリブデン、酸化チタン、酸化タングステン等を担持して形成される。この構成により、ＮＯｘをアンモニアで還元浄化する機能に加えて、アンモニアを吸着して保持する機能も有する。このアンモニア飽和保持量は、図４の曲線Ｅで示すように、触媒温度によって変化し、触媒温度が上昇する程少なくなる。
【００３５】
また、酸化触媒４の下流側に、酸化触媒４で吸着されたＮＯｘ量を推定するために第１のＮＯｘセンサー（ＮＯｘ濃度検出センサー）８ａが配置される。また、図示しないが、酸化触媒４の触媒温度と選択還元型ＮＯｘ触媒６の触媒温度とを検出する温度センサー等の触媒温度検出手段も配置される。
【００３６】
なお、エンジン２からのＮＯｘ排出量をＮＯｘ排出量マップデータから推定する場合には不要であるが、エンジン２から排出されるＮＯｘを酸化触媒４の上流側のＮＯｘ濃度から算出する場合には、酸化触媒４の上流側に、第２のＮＯｘセンサー（ＮＯｘ濃度検出センサー）８ｂが配置される。
【００３７】
更に、供給量制御装置９が設けられ、この供給量制御装置９によりアンモニア系溶液供給装置５で供給するアンモニア系溶液の供給量を制御する。この供給量制御装置９は、通常はエンジン２の運転全般を制御するＥＣＵ（エンジンコントロールユニット）と呼ばれる制御装置に組み込まれる。この供給量制御装置９には、エンジン２の運転状態（例えば、エンジン回転数Ｎｅ，負荷（燃料噴射量）Ｑなど）と第１のＮＯｘセンサー８ａの検出ＮＯｘ濃度や酸化触媒４の検出温度や図示しない選択還元型ＮＯｘ触媒６の検出温度等が入力される。また、必要に応じて、第２のＮＯｘセンサー８ｂの検出ＮＯｘ濃度が入力される。
【００３８】
このＮＯｘ浄化システム１では、エンジン２から排出された排気ガスＧ中のＮＯｘは、一部が酸化触媒４に吸着され、酸化触媒４を通過した残りのＮＯｘや酸化触媒４から放出されたＮＯｘが、選択還元型ＮＯｘ触媒６において、アンモニア系溶液供給装置５から供給（排気ガスＧ中に添加）されたアンモニア系溶液から発生するアンモニアを還元剤にして還元浄化される。この浄化された排気ガスＧｃは、排気ガス通路３を通過して大気中に放出される。このアンモニアの一部は選択還元型ＮＯｘ触媒６に保持されるが、この保持されたアンモニアは選択還元型ＮＯｘ触媒６の条件によって放出され、ＮＯｘの還元に消費される。
【００３９】
本発明においては、これらのＮＯｘ浄化システム１で、アンモニア系溶液供給装置５は、図２に例示するような制御フローに従って、次のように制御される。この図２の制御フローは、エンジン２の運転が開始されると、エンジン２の運転制御を行う制御フローから、アンモニア系溶液の供給が必要になった時に繰り返し呼ばれて実行され、エンジン２の運転が終了すると、エンジン２の運転制御を行う制御フローと共に終了するものとして示してある。
【００４０】
この図２の制御フローが呼ばれると、スタートし、ステップＳ１１で、アンモニア系溶液の供給量Ｙの制御に必要なデータを入力する。このデータとしては、エンジン２の運転状態を示すような、エンジン回転数、負荷（又は燃料噴射量）、吸気量等とＮＯｘ排出量マップデータと図３に示すようなＮＯｘ吸着量マップデータと図４に示すようなアンモニア保持量マップデータ等が入力される。更に、第１のＮＯｘセンサー８ａの検出値（ＮＯｘ濃度）が入力される。なお、ＮＯｘ排出量マップデータを使用せずに、第２のＮＯｘセンサー８ｂの検出値（ＮＯｘ濃度）を用いるときは、この検出値が入力される。
【００４１】
次のステップＳ１２で、酸化触媒４におけるＮＯｘ吸着推定量Ｎｅを算出する。この算出は、エンジン２から排出されるＮＯｘ排出量Ｎ１を、エンジン２の運転状態を示すデータ（エンジン回転数、負荷など）と、これらのデータをベースにしたＮＯｘ排出量を示すＮＯｘ排出量マップデータを参照して算出する。このＮＯｘ排出量マップデータは、予め、実験などにより求めておき、供給量制御装置９に記憶させておく。
【００４２】
このＮＯｘ排出量Ｎ１を算出すると共に、エンジン２の運転状態（燃料噴射量や吸気量等）から算出される排気ガス流量と第１のＮＯｘセンサー８ａの検出ＮＯｘ濃度値とから、酸化触媒４を通過した後の排気ガスＧ中のＮＯｘ流出量Ｎ２を算出する。そして、このＮＯｘ排出量Ｎ１とＮＯｘ流出量Ｎ２との差を、時間Δｔに関して積算してＮＯｘ吸着推定量Ｎｅ（＝Σ（Ｎ１−Ｎ２）×Δｔ）を算出する。
【００４３】
なお、酸化触媒４におけるＮＯｘ吸着推定値Ｎｅの算出に、ＮＯｘ排出量マップデータを使用せずに、第２のＮＯｘセンサー８ｂの検出ＮＯｘ濃度値を用いるときは、エンジン２の運転状態（燃料噴射量や吸気量等）から算出される排気ガス流量と第２のＮＯｘセンサー８ｂの検出ＮＯｘ濃度値とから、エンジン２から排出され、酸化触媒４を通過する前の排気ガスＧ中のＮＯｘ排出量Ｎ１を算出する。
【００４４】
次のステップＳ１３とステップＳ１４により、ＮＯｘ吸着推定量Ｎｅがどの範囲にあるかをチェックする。このＮＯｘ吸着推定量Ｎｅの範囲は、この図２の制御フローでは、酸化触媒４の触媒温度をベースにした図３に示すように、３つの曲線Ｎａ，Ｎｂ，Ｎｃによって３つの領域Ｒａ１，Ｒａ２，Ｒａ３に分割される。
【００４５】
この曲線Ｎｃは酸化触媒４のＮＯｘ飽和吸着量を示す曲線である。第１の領域Ｒａ１は曲線Ｎａ以下の領域であり、第２の領域Ｒａ２は曲線Ｎａよりも上で曲線Ｎｂ以下の領域である。また、第３の領域Ｒａ３は曲線Ｎｂよりも上で曲線Ｎｃ以下の領域である。
【００４６】
このＮＯｘ吸着推定量Ｎｅのチェックは、酸化触媒４の触媒温度を直接測定するか、酸化触媒４の前後の排気ガス温度、前方の排気ガス温度、又は、後方の排気ガス温度等から推定する。そして、所定の第１判定値Ｎａと所定の第２判定値Ｎｂとを酸化触媒４の触媒温度に対応させて、この触媒温度に対応したＮＯｘ飽和吸着量を基にして算出する。この触媒温度における３つの曲線の値、Ｎａ、Ｎｂ、Ｎｃと、ステップＳ１２で算出されたＮＯｘ吸着推定量Ｎｅとを比較して、ＮＯｘ吸着推定量Ｎｅが３つの領域Ｒａ１，Ｒａ２，Ｒａ３のいずれの領域にあるかを判定する。
【００４７】
図２の制御フローでは、ステップＳ１３で、ＮＯｘ吸着推定量ＮｅがＮａ（所定の第１判定値）以下であるか否かを判定し、Ｎａ以下であれば、ステップＳ１５に行き、Ｎａ以下でなければ、ステップＳ１４に行く。ステップＳ１４で、ＮＯｘ吸着推定量ＮｅがＮｂ（所定の第２判定値）以下であるか否かを判定し、Ｎｂ以下であれば、ステップＳ１６に行き、Ｎｂ以下でなければ、ステップＳ１７に行く。これらの判定により、Ｎｅ≦Ｎａであれば、ステップＳ１５に、Ｎａ＜Ｎｅ≦Ｎｂであれば、ステップＳ１６に、Ｎｂ＜Ｎｅ（≦Ｎｃ）であれば、ステップＳ１７に行くことになる。
【００４８】
ステップＳ１５〜Ｓ１７では、選択還元型ＮＯｘ触媒６のアンモニア保持量Ｘの制御目標範囲の算出を行う。つまり、制御目標範囲の下限Ｘｄと上限Ｘｕを算出する。この制御目標範囲は、この図２の制御フローでは、選択還元型ＮＯｘ触媒６の触媒温度をベースにした図４に示すように、５つの曲線Ａ，Ｂ，Ｃ，Ｄ，Ｅによって５つの領域Ｒｂ１，Ｒｂ２，Ｒｂ３，Ｒｂ４，Ｒｂ５に分割される。この曲線Ｅは選択還元型ＮＯｘ触媒６のアンモニア飽和保持量を示す曲線である。
【００４９】
第１の領域Ｒｂ１は、曲線Ａよりも下の領域であり、第２の領域Ｒｂ２は曲線Ａよりも上で曲線Ｂよりも下の領域である。また、第３の領域Ｒｂ３は曲線Ｂよりも上で曲線Ｃよりも下の領域であり、第４の領域Ｒｂ４は曲線Ｃよりも上で曲線Ｄよりも下の領域である。更に、第５の領域Ｒｂ５は曲線Ｄよりも上で曲線Ｅよりも下の領域である。
【００５０】
ここで、アンモニア保持量が少ない第１の領域Ｒｂ１は、排気ガス中のＮＯｘ排出量の増減や酸化触媒４の温度上昇によるＮＯｘ増加への対応には不十分であるので、この実施の形態では、制御目標範囲から除外する。また、アンモニア保持量が多くアンモニア飽和保持量Ｅに近い第５の領域Ｒｂ５も、排気ガス中のＮＯｘ排出量の増減や酸化触媒４の温度上昇によるＮＯｘ増加への対応に応じてアンモニア系溶液の供給量Ｙを増加したときに、アンモニアを選択還元型ＮＯｘ触媒６で保持できなくなって、アンモニアスリップが発生し易いので、この実施の形態では、制御目標範囲から除外する。
【００５１】
そして、このステップＳ１５〜Ｓ１７においては、選択還元型ＮＯｘ触媒６の触媒温度を直接測定するか、選択還元型ＮＯｘ触媒６の前後又は前方又は後方の排気ガス温度から推定し、この触媒温度における５つの曲線の値、Ａ，Ｂ，Ｃ，Ｄ，ＥのうちのＡ，Ｂ，Ｃ，Ｄから３つの領域のＲｂ２，Ｒｂ３，Ｒｂ４のいずれかの領域に設定する。つまり、第１制御目標範囲Ｒｂ２と第２制御目標範囲Ｒｂ３と第３制御目標範囲Ｒｂ４とを選択還元型ＮＯｘ触媒６の触媒温度に対応させて、この触媒温度に対応したアンモニア飽和保持量を基にして算出する。
【００５２】
そして、Ｎｅ≦Ｎａであれば、ステップＳ１５で、下限Ｘｄを曲線Ａの値に，上限Ｘｕを曲線Ｂの値にし、Ｎａ＜Ｎｅ≦Ｎｂであれば、ステップＳ１６で、下限Ｘｄを曲線Ｂの値に、上限Ｘｕを曲線Ｃの値にし、更に、Ｎｂ＜Ｎｅ（≦Ｎｃ）であれば、ステップＳ１７で下限Ｘｄを曲線Ｃの値に，上限Ｘｕを曲線Ｄの値にする。言い換えれば、選択還元型ＮＯｘ触媒６のアンモニア保持量Ｘの制御目標範囲（Ｘｄ＜Ｘ＜Ｘｕ）を、Ｎｅ≦Ｎａであれば、第２の領域（第１制御目標範囲）Ｒｂ２に、Ｎａ＜Ｎｅ≦Ｎｂであれば、第３の領域（第２制御目標範囲）Ｒｂ３に、Ｎｂ＜Ｎｅ（≦Ｎｃ）であれば、第４の領域（第３制御目標範囲）Ｒｂ４に設定する。
【００５３】
そして、ステップＳ１８で、選択還元型ＮＯｘ触媒６のアンモニア保持量Ｘが、これらの設定した制御目標範囲（Ｘｄ＜Ｘ＜Ｘｕ）になるように、アンモニア系溶液供給装置５で供給するアンモニア系溶液の供給量Ｙを調整及び制御する。
【００５４】
この供給量Ｙの制御では、エンジンの運転状態によるＮＯｘ排出量と選択還元型ＮＯｘ触媒６の（推定）温度における（予想）ＮＯｘ浄化率から選択還元型ＮＯｘ触媒６において保持されているアンモニアがＮＯｘ浄化に消費された量を算出して残っているアンモニア保持量を推察し、このアンモニア保持量Ｘが、選択還元型ＮＯｘ触媒６のその温度における制御目標範囲（Ｘｄ＜Ｘ＜Ｘｕ）になるようにする。アンモニア保持量Ｘが上限Ｘｕを超えそうになった場合はアンモニア系溶液の供給を停止し、下限Ｘｄを下回りそうになった場合はアンモニア系溶液の供給を行い制御する。
【００５５】
この制御に基づく供給を所定の時間（この図２の制御フローが呼ばれて戻るインターバルに関係する時間）の間行う。その後、リターンして、図２の制御フローを呼んだ上級の制御フローに戻り、再度、この上級の制御フローから呼ばれて、図２制御フローが繰り返し実行される。
【００５６】
この上記の図２の制御フローに従ったＮＯｘ浄化システム１の制御方法により、酸化触媒４に吸着しているＮＯｘ量が少ない場合、即ち、ＮＯｘ吸着推定量Ｎｅが領域Ｒａ１にある場合には、選択還元型ＮＯｘ触媒６のアンモニア保持量Ｘの制御目標範囲（Ｘｄ＜Ｘ＜Ｘｕ）を、アンモニア保持量Ｘが比較的少なくなる領域Ｒｂ２とする。この酸化触媒４におけるＮＯｘ吸着量が少なく、排気ガスの温度上昇によるＮＯｘの多量の放出が殆ど無いと推定される場合は、選択還元型ＮＯｘ触媒６におけるアンモニア保持量Ｘを、エンジン２の運転条件によるＮＯｘ排出量Ｎ１の増減に対応した比較的少ない量に制御して、アンモニアスリップを防止する。
【００５７】
つまり、選択還元型ＮＯｘ触媒６におけるアンモニア保持量Ｘを多くしておいた場合に、排気ガス中のＮＯｘの増加に対応してアンモニア系溶液の供給量Ｙを増加すると、ＮＯｘ還元で余ったアンモニアを選択還元型ＮＯｘ触媒６で保持できなくなって、アンモニアが大気中に放出される可能性が高い。このアンモニアスリップを、予め、選択還元型ＮＯｘ触媒６におけるアンモニア保持量Ｘを少なくしておくことで防止する。
【００５８】
また、酸化触媒４に吸着しているＮＯｘ量が中程度の場合、、即ち、ＮＯｘ吸着推定量Ｎｅが領域Ｒａ２にある場合には、制御目標範囲（Ｘｄ＜Ｘ＜Ｘｕ）を、アンモニア保持量が中程度の領域Ｒｂ３とする。この場合は、アンモニアスリップの発生の可能性も、次に述べるＮＯｘスリップの発生の可能性も低いので、特にアンモニア保持量を大きく増減させることはしない。
【００５９】
更に、酸化触媒４に吸着しているＮＯｘ量が増加して、ＮＯｘ飽和吸着量Ｎｃに近づいた場合、即ち、ＮＯｘ吸着推定量Ｎｅが領域Ｒａ３に入った場合には、制御目標範囲（Ｘｄ＜Ｘ＜Ｘｕ）を、アンモニア保持量が比較的多い領域Ｒｂ４とする。これにより、選択還元型ＮＯｘ触媒６で保持しているアンモニア量を増加し、排気ガス温度が上昇した場合に酸化触媒４から多量のＮＯｘが放出されて、選択還元型ＮＯｘ触媒６に流入しても、選択還元型ＮＯｘ触媒６で保持しているアンモニア量で十分にＮＯｘを還元できるようにしておく。つまり、酸化触媒４におけるＮＯｘ吸着量が増加してＮＯｘ飽和吸着量Ｎｃに近づいてくると、酸化触媒４の僅かな温度上昇でＮＯｘが放出されるため、選択還元型ＮＯｘ触媒６におけるアンモニア保持量を高めに維持して、この急激なＮＯｘ放出に備える。これにより、排気ガス温度の急上昇によるＮＯｘの大気中への放出（ＮＯｘスリップ）を防止できる。
【００６０】
上記のように、このＮＯｘ浄化システム１及びＮＯｘ浄化システムの制御方法では、排気ガス通路３に上流側から順に、酸化触媒４と、排気ガス通路３にアンモニア系溶液を供給するアンモニア系溶液供給装置５と、選択還元型ＮＯｘ触媒６とを備えると共に、アンモニア系溶液の供給量Ｙを制御する供給量制御装置９とを備えて、排気ガスＧ中のＮＯｘを還元するＮＯｘ浄化システム１において、酸化触媒４におけるＮＯｘ吸着推定量Ｎｅを算出し、このＮＯｘ吸着推定量Ｎｅに応じて、アンモニア系溶液の供給量Ｙを制御する。
【００６１】
また、供給量制御装置９は、ＮＯｘ吸着推定量Ｎｅが所定の第１判定値Ｎａ以下の場合には、アンモニア系溶液の供給量Ｙの目標量Ｘを所定の第１制御目標範囲Ｒｂ２内とし、ＮＯｘ吸着推定量Ｎｅが所定の第１判定値Ｎｅより大きく所定の第２判定値Ｎｂ以下の場合には、アンモニア系溶液の供給量Ｙの制御目標量Ｘを所定の第１制御目標範囲Ｒｂ２よりも大きい所定の第２制御目標範囲Ｒｂ３内とし、ＮＯｘ吸着推定量Ｎｅが所定の第２判定値Ｎｂより大きい場合には、アンモニア系溶液の供給量Ｙの目標量Ｘを所定の第２制御目標範囲Ｒｂ３よりも大きい所定の第３制御目標範囲Ｒｂ４内として、アンモニア系溶液の供給量Ｙを制御する。
【００６２】
また、供給量制御装置９は、酸化触媒４におけるＮＯｘ吸着推定量ＮｅとＮＯｘ飽和吸着量Ｎｃとの比較に基づいて、選択還元型ＮＯｘ触媒６におけるアンモニア飽和保持量Ｅを基にアンモニア系溶液の供給量Ｙを算出し、更に、酸化触媒４の触媒温度に対応するＮＯｘ吸着推定量ＮｅとＮＯｘ飽和吸着量Ｎｃとの比較に基づいて、選択還元型ＮＯｘ触媒６の触媒温度に対応するアンモニア飽和保持量Ｅを基にアンモニア系溶液の供給量Ｙを算出する。
【００６３】
従って、上流側の酸化触媒４におけるＮＯｘ吸着推定量Ｎｅを考慮して、アンモニア系溶液の供給量Ｙを制御することができるので、エンジン２の運転条件によるＮＯｘの増減のみならず、酸化触媒４の温度変化によるＮＯｘ放出量にも対応して、選択還元型ＮＯｘ触媒６へ供給するアンモニア系溶液の供給量Ｙを適切に制御することができる。その結果、上流側の酸化触媒４において、ＮＯｘの吸着とこの吸着されたＮＯｘの放出とが起こっても、アンモニアスリップを抑えながら、ＮＯｘを浄化することができ、大気中へのアンモニアの放出とＮＯｘの放出の両方を共に低減することができる。
【図面の簡単な説明】
【００６４】
【図１】本発明に係る実施の形態のＮＯｘ浄化システムの構成を模式的に示す図である。
【図２】本発明に係るＮＯｘ浄化システムの制御方法を示す制御フローの図である。
【図３】酸化触媒におけるＮＯｘ吸着量の領域分割を示す模式的な図である。
【図４】選択還元型ＮＯｘ触媒におけるアンモニア保持量の領域分割を示す模式的な図である。
【図５】酸化触媒におけるＮＯｘの放出を説明するための模式的な図である。
【符号の説明】
【００６５】
１    ＮＯｘ浄化システム
２    ディーゼルエンジン（内燃機関）
３    排気ガス通路
４    酸化触媒（ＤＯＣ）
５    アンモニア系溶液供給装置
６    選択還元型ＮＯｘ触媒（ＳＣＲ触媒）
８ａ  第１のＮＯｘセンサー（ＮＯｘ濃度検出センサー）
８ｂ  第２のＮＯｘセンサー（ＮＯｘ濃度検出センサー）
９    供給量制御装置
Ａ，Ｂ，Ｃ，Ｄ    アンモニア保持量を示す曲線
Ｅ    アンモニア飽和保持量を示す曲線
Ｎａ  ＮＯｘ吸着量を示す曲線（所定の第１判定値）
Ｎｂ  ＮＯｘ吸着量を示す曲線（所定の第２判定値）
Ｎｃ  ＮＯｘ飽和吸着量を示す曲線
Ｎｅ  ＮＯｘ吸着推定量
Ｒａ１  ＮＯｘ吸着量の第１の領域
Ｒａ２  ＮＯｘ吸着量の第２の領域
Ｒａ３  ＮＯｘ吸着量の第３の領域
Ｒｂ１  アンモニア保持量の第１の領域
Ｒｂ２  アンモニア保持量の第２の領域（第１制御目標範囲）
Ｒｂ３  アンモニア保持量の第３の領域（第２制御目標範囲）
Ｒｂ４  アンモニア保持量の第４の領域（第３制御目標範囲）
Ｒｂ５  アンモニア保持量の第５の領域
Ｘ    アンモニア保持量
Ｘｄ  制御目標範囲の下限
Ｘｕ  制御目標範囲の上限
Ｙ    アンモニア系溶液の供給量
【図１】
2008261253.tif 000003
【図２】
2008261253.tif 000004
【図３】
2008261253.tif 000005
【図４】
2008261253.tif 000006
【図５】
2008261253.tif 000007
【手続補正書】
【提出日】平成20年7月8日(2008.7.8)
【手続補正１】
【補正対象書類名】特許請求の範囲
【補正対象項目名】全文
【補正方法】変更
【補正の内容】
【特許請求の範囲】
【請求項１】
排気ガス通路の上流側から順に、酸化触媒と、排気ガス通路にアンモニア系溶液を供給するアンモニア系溶液供給装置と、選択還元型ＮＯｘ触媒とを備えると共に、前記アンモニア系溶液の供給量を制御する供給量制御装置とを備えて、排気ガス中のＮＯｘを還元するＮＯｘ浄化システムにおいて、
前記供給量制御装置が、前記酸化触媒におけるＮＯｘの吸着量の推定値であるＮＯｘ吸着推定量を算出し、該ＮＯｘ吸着推定量に応じて、前記アンモニア系溶液の供給量を制御すると共に、
前記供給量制御装置が、前記ＮＯｘ吸着推定量が所定の第１判定値以下の場合には、前記アンモニア系溶液の供給量の目標量を所定の第１制御目標範囲内とし、前記ＮＯｘ吸着推定量が所定の第１判定値より大きく所定の第２判定値以下の場合には、前記アンモニア系溶液の供給量の目標量を前記所定の第１制御目標範囲よりも大きい所定の第２制御目標範囲内とし、前記ＮＯｘ吸着推定量が前記所定の第２判定値より大きい場合には、前記アンモニア系溶液の供給量の目標量を前記所定の第２制御目標範囲よりも大きい所定の第３制御目標範囲内として、前記アンモニア系溶液の供給量を制御することを特徴とするＮＯｘ浄化システム。
【請求項２】
前記所定の第１判定値と前記所定の第２判定値とを前記酸化触媒の触媒温度に対応して算出すると共に、前記第１制御目標範囲と前記第２制御目標範囲と前記第３制御目標範囲とを前記選択還元型ＮＯｘ触媒の触媒温度に対応して算出することを特徴とする請求項１記載のＮＯｘ浄化システム。
【請求項３】
前記所定の第１判定値と前記所定の第２判定値を前記酸化触媒の触媒温度に対応したＮＯｘ飽和吸着量を基にして算出すると共に、前記第１制御目標範囲と前記第２制御目標範囲と前記第３制御目標範囲を前記選択還元型ＮＯｘ触媒の触媒温度に対応したアンモニア飽和保持量を基にして算出することを特徴とする請求項１又は２記載のＮＯｘ浄化システム。
【請求項４】
前記酸化触媒における前記ＮＯｘ吸着推定量の算出に際して、前記酸化触媒の下流側に配置したＮＯｘセンサーの検出値を用いることを特徴とする請求項１、２又は３記載のＮＯｘ浄化システム。
【請求項５】
排気ガス通路の上流側から順に、酸化触媒と、排気ガス通路にアンモニア系溶液を供給するアンモニア系溶液供給装置と、選択還元型ＮＯｘ触媒とを備えると共に、前記アンモニア系溶液の供給量を制御する供給量制御装置とを備えて、排気ガス中のＮＯｘを還元するＮＯｘ浄化システムの制御方法において、
前記酸化触媒におけるＮＯｘの吸着量の推定値であるＮＯｘ吸着推定量を算出し、該ＮＯｘ吸着推定量に応じて、前記アンモニア系溶液の供給量を制御すると共に、
前記ＮＯｘ吸着推定量が所定の第１判定値以下の場合には、前記アンモニア系溶液の供給量の目標量を所定の第１制御目標範囲内とし、前記ＮＯｘ吸着推定量が所定の第１判定値より大きく所定の第２判定値以下の場合には、前記アンモニア系溶液の供給量の目標量を前記所定の第１制御目標範囲よりも大きい所定の第２制御目標範囲内とし、前記ＮＯｘ吸着推定量が前記所定の第２判定値より大きい場合には、前記アンモニア系溶液の供給量の目標量を前記所定の第２制御目標範囲よりも大きい所定の第３制御目標範囲内として、前記アンモニア系溶液の供給量を制御することを特徴とするＮＯｘ浄化システムの制御方法。
【手続補正２】
【補正対象書類名】明細書
【補正対象項目名】００１６
【補正方法】変更
【補正の内容】
【００１６】
上記のような目的を達成するためのＮＯｘ浄化システムは、排気ガス通路の上流側から順に、酸化触媒と、排気ガス通路にアンモニア系溶液を供給するアンモニア系溶液供給装置と、選択還元型ＮＯｘ触媒とを備えると共に、前記アンモニア系溶液の供給量を制御する供給量制御装置とを備えて、排気ガス中のＮＯｘを還元するＮＯｘ浄化システムにおいて、前記供給量制御装置が、前記酸化触媒におけるＮＯｘの吸着量の推定値であるＮＯｘ吸着推定量を算出し、該ＮＯｘ吸着推定量に応じて、前記アンモニア系溶液の供給量を制御すると共に、前記供給量制御装置が、前記ＮＯｘ吸着推定量が所定の第１判定値以下の場合には、前記アンモニア系溶液の供給量の目標量を所定の第１制御目標範囲内とし、前記ＮＯｘ吸着推定量が所定の第１判定値より大きく所定の第２判定値以下の場合には、前記アンモニア系溶液の供給量の目標量を前記所定の第１制御目標範囲よりも大きい所定の第２制御目標範囲内とし、前記ＮＯｘ吸着推定量が前記所定の第２判定値より大きい場合には、前記アンモニア系溶液の供給量の目標量を前記所定の第２制御目標範囲よりも大きい所定の第３制御目標範囲内として、前記アンモニア系溶液の供給量を制御するように構成される。
【手続補正３】
【補正対象書類名】明細書
【補正対象項目名】００１８
【補正方法】削除
【補正の内容】
【手続補正４】
【補正対象書類名】明細書
【補正対象項目名】００２６
【補正方法】変更
【補正の内容】
【００２６】
そして、上記の目的を達成するためのＮＯｘ浄化システムの制御方法は、排気ガス通路の上流側から順に、酸化触媒と、排気ガス通路にアンモニア系溶液を供給するアンモニア系溶液供給装置と、選択還元型ＮＯｘ触媒とを備えると共に、前記アンモニア系溶液の供給量を制御する供給量制御装置とを備えて、排気ガス中のＮＯｘを還元するＮＯｘ浄化システムの制御方法において、前記酸化触媒におけるＮＯｘの吸着量の推定値であるＮＯｘ吸着推定量を算出し、該ＮＯｘ吸着推定量に応じて、前記アンモニア系溶液の供給量を制御すると共に、前記ＮＯｘ吸着推定量が所定の第１判定値以下の場合には、前記アンモニア系溶液の供給量の目標量を所定の第１制御目標範囲内とし、前記ＮＯｘ吸着推定量が所定の第１判定値より大きく所定の第２判定値以下の場合には、前記アンモニア系溶液の供給量の目標量を前記所定の第１制御目標範囲よりも大きい所定の第２制御目標範囲内とし、前記ＮＯｘ吸着推定量が前記所定の第２判定値より大きい場合には、前記アンモニア系溶液の供給量の目標量を前記所定の第２制御目標範囲よりも大きい所定の第３制御目標範囲内として、前記アンモニア系溶液の供給量を制御する方法である。この方法によれば、アンモニア系溶液を選択還元型ＮＯｘ触媒に対して過不足なく供給して、アンモニアとＮＯｘの両方の大気中への排出を防止することができる。
【手続補正５】
【補正対象書類名】明細書
【補正対象項目名】００６１
【補正方法】変更
【補正の内容】
【００６１】
また、供給量制御装置９は、ＮＯｘ吸着推定量Ｎｅが所定の第１判定値Ｎａ以下の場合には、アンモニア系溶液の供給量Ｙの目標量Ｘを所定の第１制御目標範囲Ｒｂ２内とし、ＮＯｘ吸着推定量Ｎｅが所定の第１判定値Ｎａより大きく所定の第２判定値Ｎｂ以下の場合には、アンモニア系溶液の供給量Ｙの目標量Ｘを前記所定の第１制御目標範囲Ｒｂ２よりも大きい所定の第２制御目標範囲Ｒｂ３内とし、ＮＯｘ吸着推定量Ｎｅが所定の第２判定値Ｎｂより大きい場合には、アンモニア系溶液の供給量Ｙの目標量Ｘを所定の第２制御目標範囲Ｒｂ３よりも大きい所定の第３制御目標範囲Ｒｂ４内として、アンモニア系溶液の供給量Ｙを制御する。